(57)【要約】【課題】山登りＡＦを行うカメラでマニュアルフォーカス可能なカメラに於いて、マニュアルフォーカスでピント合わせを容易にすることができるカメラの焦点状態表示装置を提供することである。【解決手段】撮像部１から出力される映像信号を基に、撮像レンズによる被写体の合焦状態を撮影者に示すための少なくとも第１及び第２の合焦評価値が合焦評価値演算部２で算出される。この合焦評価値演算部２で算出された第１若しくは第２の合焦評価値は、モニタ８に図形の形状により表示される。そして、ピーク検出部３が上記第１の合焦評価値が極大値若しくは極小値を越えて変化したことを検出する前は、当該第１の合焦評価値に基づいた合焦評価値が、上記第１の合焦評価値が極大値若しくは極小値を越えて変化したことを検出した後は、上記第２の合焦評価値に基づいた合焦評価値が、それぞれモニタ８に図形表示される。【選択図】      図１
2007248615.tif 000002
【特許請求の範囲】
【請求項１】
撮影者の合焦操作により被写体の結像位置を調整可能な撮像レンズと、
上記撮像レンズで結像した被写体像を映像信号に変換する撮像手段と、
上記撮像手段から出力される映像信号を基に、上記撮像レンズによる被写体の合焦状態を撮影者に示すための少なくとも第１の合焦評価値と第２の合焦評価値を算出する評価値算出手段と、
上記評価値算出手段で算出した第１若しくは第２の合焦評価値を図形の形状により表示する表示手段と、
上記第１の合焦評価値が極大値若しくは極小値を越えて変化したことを検出するピーク検出手段と、
を具備し、
上記表示手段は、上記ピーク検出手段が上記第１の合焦評価値が極大値若しくは極小値を越えて変化したことを検出する前は、当該第１の合焦評価値に基づき合焦評価値を図形表示し、上記ピーク検出手段が第１の種類の上記合焦評価値が極大値若しくは極小値を越えて変化したことを検出した後は、上記第２の合焦評価値に基づき合焦評価値を図形表示することを特徴とするカメラの焦点状態表示装置。
【請求項２】
撮影者の合焦操作により被写体の結像位置を調整可能な撮像レンズと、
上記撮像レンズで結像した被写体像を映像信号に変換する撮像手段と、
上記撮像手段から出力される映像信号を基に、上記撮像レンズによる被写体の合焦状態を撮影者に示すための少なくとも第１の合焦評価値と第２の合焦評価値を算出する評価値算出手段と、
上記評価値算出手段で算出した第１若しくは第２の合焦評価値を図形の形状により表示する表示手段と、
上記第１の合焦評価値が極大値若しくは極小値を越えて変化したことを検出するピーク検出手段と、
を具備し、
上記表示手段は、上記ピーク検出手段が上記第１の合焦評価値が極大値若しくは極小値を越えて変化したことを検出した後、上記第２の上記合焦評価値に基づき合焦評価値を図形表示することを特徴とするカメラの焦点状態表示装置。
【請求項３】
上記図形の形状とは、上記図形のサイズ若しくは図形の一方向の長さ或いは図形の表示位置であることを特徴とする請求項１若しくは２に記載のカメラの焦点状態表示装置。
【請求項４】
上記図形は長方形であり、上記表示手段は、上記合焦評価値を当該長方形の長さで表示することを特徴とする請求項３に記載のカメラの焦点状態表示装置。
【請求項５】
上記評価値算出手段は、
上記撮像手段が出力する映像信号にハイパス処理を実行するハイパスフィルタと、
当該ハイパスフィルタのフィルタ特性を決定するパラメータを設定するパラメータ設定手段とを有し、
上記パラメータ設定手段により設定された第１のパラメータを有する上記ハイパスフィルタで処理されて上記第１の合焦評価値を算出し、
上記パラメータ設定手段により設定設定された第２のパラメータを有する上記ハイパスフィルタで処理されて上記第２の合焦評価値を算出する、
ことを特徴とする請求項３に記載のカメラの焦点状態表示装置。
【請求項６】
上記パラメータ設定手段は、上記第２のパラメータを有するハイパスフィルタのカットオフ周波数が、上記第１のパラメータを有するハイパスフィルタのカットオフ周波数よりも高くなるように設定することを特徴とする請求項５に記載のカメラの焦点状態表示装置。
【請求項７】
上記パラメータ設定手段は、上記第１のパラメータ及び上記第２のパラメータを、上記撮影レンズの焦点距離に基づいて決定することを特徴とする請求項６に記載のカメラの焦点状態表示装置。
【請求項８】
上記撮像レンズは当該カメラに着脱可能に構成されていると共に、上記ハイパスフィルタに関する情報を保持する記憶手段を有し、
上記パラメータ設定手段は、上記記憶手段から取得した上記ハイパスフィルタに関する情報を基に上記第１のパラメータ及び上記第２のパラメータを決定することを特徴とする請求項６に記載のカメラの焦点状態表示装置。
【請求項９】
撮像レンズを介して結像した被写体像を映像信号に変換する撮像手段と、
上記撮像手段から出力される映像信号を基に、上記撮像レンズによる被写体の合焦状態を撮影者に示すためのもので、少なくとも第１及び第２の合焦評価値を算出する評価値算出手段と、
上記評価値算出手段で算出された少なくとも第１及び第２の合焦評価値の少なくとも一方を図形形状に変換する変換手段と、
上記変換手段で図形形状に変換された第１若しくは第２の合焦評価値を表示する表示手段と、
上記第１の合焦評価値が極大値若しくは極小値を越えて変化したことを検出するピーク検出手段と、
上記ピーク検出手段が上記第１の合焦評価値が極大値若しくは極小値を越えて変化したことを検出する前は、当該第１の合焦評価値に基づいた図形を上記表示手段に表示させ、上記ピーク検出手段が上記第１の合焦評価値が極大値若しくは極小値を越えて変化したことを検出した後は、上記第２の合焦評価値に基づいた図形を上記表示手段に表示させるように制御する制御手段と、
を具備することを特徴とするカメラの焦点状態表示装置。
【請求項１０】
撮像レンズを介して結像した被写体像を映像信号に変換する撮像手段と、
上記撮像手段から出力される映像信号を基に、上記撮像レンズによる被写体の合焦状態を撮影者に示すためのもので、少なくとも第１及び第２の合焦評価値を算出する評価値算出手段と、
上記評価値算出手段で算出された少なくとも第１及び第２の合焦評価値の少なくとも一方を図形形状に変換する変換手段と、
上記変換手段で図形形状に変換された第１若しくは第２の合焦評価値を表示する表示手段と、
上記第１の合焦評価値が極大値若しくは極小値を越えて変化したことを検出するピーク検出手段と、
上記ピーク検出手段が上記第１の合焦評価値が極大値若しくは極小値を越えて変化したことを検出した後は、上記第２の合焦評価値に基づいた図形を上記表示手段に表示させるように制御する制御手段と、
を具備することを特徴とするカメラの焦点状態表示装置。
【請求項１１】
上記図形の形状とは、上記図形のサイズ若しくは図形の一方向の長さ或いは図形の表示位置であることを特徴とする請求項９若しくは１０に記載のカメラの焦点状態表示装置。
【請求項１２】
上記図形は長方形であり、上記制御手段は、上記第１若しくは第２の合焦評価値を当該長方形の長さで上記表示手段に表示させるように制御することを特徴とする請求項１１に記載のカメラの焦点状態表示装置。
【請求項１３】
上記評価値算出手段は、
上記撮像手段が出力する映像信号にハイパス処理を実行するハイパスフィルタと、
当該ハイパスフィルタのフィルタ特性を決定するパラメータを設定するパラメータ設定手段とを有し、
上記パラメータ設定手段により設定された第１のパラメータを有する上記ハイパスフィルタで上記第１の合焦評価値を算出し、上記パラメータ設定手段により設定された第２のパラメータを有する上記ハイパスフィルタで上記第２の合焦評価値を算出することを特徴とする請求項１１に記載のカメラの焦点状態表示装置。
【請求項１４】
上記パラメータ設定手段は、上記第２のパラメータを有するハイパスフィルタのカットオフ周波数が、上記第１のパラメータを有するハイパスフィルタのカットオフ周波数よりも高くなるように設定することを特徴とする請求項１３に記載のカメラの焦点状態表示装置。
【請求項１５】
上記パラメータ設定手段は、上記第１のパラメータ及び上記第２のパラメータを、上記撮影レンズの焦点距離に基づいて決定することを特徴とする請求項１４に記載のカメラの焦点状態表示装置。
【請求項１６】
撮像レンズを介して結像した被写体像を光電変換して映像信号として出力する撮像手段と、
上記撮像手段の出力に基づいて現在の合焦度合いを評価するもので、少なくとも第１の種類の合焦評価値と第２の種類の合焦評価値を算出する合焦評価値演算手段と、
上記撮影レンズの合焦操作により上記第１の種類の合焦評価値の変化から当該合焦評価値がピークを通過したことを検出するピーク検出手段と、
上記合焦評価値演算手段の出力に基づいて、上記撮影レンズの合焦度合いを視覚的に表示するための第１の種類の合焦評価値に対応する粗調整用表示バー及び第２の種類の合焦評価値に対応する微調整用表示バーを作成する表示バー作成手段と、
上記ピーク検出手段の検出結果に応じて、上記表示バー作成手段で作成された粗調整表示バー及び微調整表示バーの少なくとも一方を選択する選択手段と、
上記選択手段で選択された上記粗調整表示バー及び微調整表示バーの少なくとも一方を含む合焦メータ画像を作成する合焦メータ作成手段と、
上記撮像手段が出力する映像信号と、上記合焦メータ作成手段で作成された合焦メータ画像を合成する合成手段と、
上記合成手段で合成された合焦メータ画像を表示する表示手段と、
を具備することを特徴とするカメラの焦点状態表示装置。
【発明の詳細な説明】
【技術分野】
【０００１】
本発明は、マニュアルフォーカス可能なカメラに於いて、合焦レベルを表示可能なカメラの焦点状態表示装置に関するものである。
【背景技術】
【０００２】
デジタルカメラを使用して、撮影者がマニュアルフォーカス（以下、ＭＦと略記する）操作をする場合には、レンズを手動で回転させながら、ファインダ若しくは電子ビューファインダ（ＥＶＦ）で観察される被写体のピントが最良になる位置でレンズを停止させる方法が一般的である。しかしながら、このようなＭＦ方式では、撮影者の力量やファインダの見易さの要因によって、必ずしもレンズ停止させた位置が最良のピント位置となる保障はできない。
【０００３】
一方、デジタルカメラの自動焦点調節（オートフォーカス；以下、ＡＦと略記する）方法の１つとして、撮像素子の出力に所定の演算を施して合焦の度合いを表す評価値（以下合焦評価値と記す）を算出し、得られた値が最大になるレンズ位置にレンズを移動することによって合焦状態を得る方法がある。この方法は、いわゆる山登りＡＦ、イメージャＡＦまたはコントラストＡＦの名称で称されている。ここで、合焦評価値とは、映像信号の高周波成分の大きさを示すものであり、合焦状態にあるほど高い値を示すので、合焦評価値が最大になる位置をスキャンすることで合焦状態が得られる。
【０００４】
上記の合焦評価値をＭＦ時のピント合わせに利用する技術として、例えば、ピントレベルのリアルタイムな表示を行う技術（例えば、下記特許文献１参照）や、レンズの位置の情報を表示し、且つ、合焦評価値の情報をバー表示する技術（例えば、下記特許文献２参照）や、横軸にレンズの位置、縦軸の合焦評価値のグラフを表示する技術（下記特許文献３参照）が知られている。
【０００５】
以上のような従来技術によって、ＭＦ操作をしながら評価値が最大になるレンズ位置で停止させれば合焦状態が得られるようになっている。
【特許文献１】特開平６−１１３１８４号公報
【特許文献２】特開２００１−４２２０７号公報
【特許文献３】特開２００３−２６２９１０号公報
【発明の開示】
【発明が解決しようとする課題】
【０００６】
しかしながら、上述した特許文献１乃至３に記載された技術は、以下のような課題を有している。
【０００７】
合焦評価値の絶対値については、ピントが大きく外れている状態と合焦評価値がピークとなる合焦点の状態の間の評価値は、撮影条件（被写体輝度、コントラスト、手ぶれ、レンズ特性等）によって異なるものの、あるレベルの差が存在する。
【０００８】
そして、撮影者がＭＦにて上述した従来技術に於けるインジケータを見ながらレンズを合焦させる場合には、大ぼけ状態から合焦点付近まではインジケータが大きく変化するが、合焦点付近では評価値の変化量は小さい。そのために、最もインジケータの精度が求められる合焦点付近でインジケータの変異が小さくなって、撮影者にとって見づらくなるという問題点が発生する。したがって、結果的にインジケータを見ながらＭＦ操作で合焦させるのが困難なものとなっていた。
【０００９】
本発明は、上記実情に鑑みてなされたものであり、その目的は、山登りＡＦを行うカメラでマニュアルフォーカス可能なカメラに於いて、マニュアルフォーカスでピント合わせを容易にすることができるカメラの焦点状態表示装置を提供することである。
【課題を解決するための手段】
【００１０】
すなわち請求項１に記載の発明は、撮影者の合焦操作により被写体の結像位置を調整可能な撮像レンズと、上記撮像レンズで結像した被写体像を映像信号に変換する撮像手段と、上記撮像手段から出力される映像信号を基に、上記撮像レンズによる被写体の合焦状態を撮影者に示すための少なくとも第１の合焦評価値と第２の合焦評価値を算出する評価値算出手段と、上記評価値算出手段で算出した第１若しくは第２の合焦評価値を図形の形状により表示する表示手段と、上記第１の合焦評価値が極大値若しくは極小値を越えて変化したことを検出するピーク検出手段と、を具備し、上記表示手段は、上記ピーク検出手段が上記第１の合焦評価値が極大値若しくは極小値を越えて変化したことを検出する前は、当該第１の合焦評価値に基づき合焦評価値を図形表示し、上記ピーク検出手段が第１の種類の上記合焦評価値が極大値若しくは極小値を越えて変化したことを検出した後は、上記第２の合焦評価値に基づき合焦評価値を図形表示することを特徴とする。
【００１１】
請求項２に記載の発明は、撮影者の合焦操作により被写体の結像位置を調整可能な撮像レンズと、上記撮像レンズで結像した被写体像を映像信号に変換する撮像手段と、上記撮像手段から出力される映像信号を基に、上記撮像レンズによる被写体の合焦状態を撮影者に示すための少なくとも第１の合焦評価値と第２の合焦評価値を算出する評価値算出手段と、上記評価値算出手段で算出した第１若しくは第２の合焦評価値を図形の形状により表示する表示手段と、上記第１の合焦評価値が極大値若しくは極小値を越えて変化したことを検出するピーク検出手段と、を具備し、上記表示手段は、上記ピーク検出手段が上記第１の合焦評価値が極大値若しくは極小値を越えて変化したことを検出した後、上記第２の上記合焦評価値に基づき合焦評価値を図形表示することを特徴とする。
【００１２】
請求項３に記載の発明は、請求項１若しくは２に記載の発明に於いて、上記図形の形状とは、上記図形のサイズ若しくは図形の一方向の長さ或いは図形の表示位置であることを特徴とする。
【００１３】
請求項４に記載の発明は、請求項３に記載の発明に於いて、上記図形は長方形であり、上記表示手段は、上記合焦評価値を当該長方形の長さで表示することを特徴とする。
【００１４】
請求項５に記載の発明は、請求項３に記載の発明に於いて、上記評価値算出手段は、上記撮像手段が出力する映像信号にハイパス処理を実行するハイパスフィルタと、当該ハイパスフィルタのフィルタ特性を決定するパラメータを設定するパラメータ設定手段とを有し、上記パラメータ設定手段により設定された第１のパラメータを有する上記ハイパスフィルタで処理されて上記第１の合焦評価値を算出し、上記パラメータ設定手段により設定設定された第２のパラメータを有する上記ハイパスフィルタで処理されて上記第２の合焦評価値を算出する、ことを特徴とする。
【００１５】
請求項６に記載の発明は、請求項５に記載の発明に於いて、上記パラメータ設定手段は、上記第２のパラメータを有するハイパスフィルタのカットオフ周波数が、上記第１のパラメータを有するハイパスフィルタのカットオフ周波数よりも高くなるように設定することを特徴とする。
【００１６】
請求項７に記載の発明は、請求項６に記載の発明に於いて、上記パラメータ設定手段は、上記第１のパラメータ及び上記第２のパラメータを、上記撮影レンズの焦点距離に基づいて決定することを特徴とする。
【００１７】
請求項８に記載の発明は、請求項６に記載の発明に於いて、上記撮像レンズは当該カメラに着脱可能に構成されていると共に、上記ハイパスフィルタに関する情報を保持する記憶手段を有し、上記パラメータ設定手段は、上記記憶手段から取得した上記ハイパスフィルタに関する情報を基に上記第１のパラメータ及び上記第２のパラメータを決定することを特徴とする。
【００１８】
請求項９に記載の発明は、撮像レンズを介して結像した被写体像を映像信号に変換する撮像手段と、上記撮像手段から出力される映像信号を基に、上記撮像レンズによる被写体の合焦状態を撮影者に示すためのもので、少なくとも第１及び第２の合焦評価値を算出する評価値算出手段と、上記評価値算出手段で算出された少なくとも第１及び第２の合焦評価値の少なくとも一方を図形形状に変換する変換手段と、上記変換手段で図形形状に変換された第１若しくは第２の合焦評価値を表示する表示手段と、上記第１の合焦評価値が極大値若しくは極小値を越えて変化したことを検出するピーク検出手段と、上記ピーク検出手段が上記第１の合焦評価値が極大値若しくは極小値を越えて変化したことを検出する前は、当該第１の合焦評価値に基づいた図形を上記表示手段に表示させ、上記ピーク検出手段が上記第１の合焦評価値が極大値若しくは極小値を越えて変化したことを検出した後は、上記第２の合焦評価値に基づいた図形を上記表示手段に表示させるように制御する制御手段と、を具備することを特徴とする。
【００１９】
請求項１０に記載の発明は、撮像レンズを介して結像した被写体像を映像信号に変換する撮像手段と、上記撮像手段から出力される映像信号を基に、上記撮像レンズによる被写体の合焦状態を撮影者に示すためのもので、少なくとも第１及び第２の合焦評価値を算出する評価値算出手段と、上記評価値算出手段で算出された少なくとも第１及び第２の合焦評価値の少なくとも一方を図形形状に変換する変換手段と、上記変換手段で図形形状に変換された第１若しくは第２の合焦評価値を表示する表示手段と、上記第１の合焦評価値が極大値若しくは極小値を越えて変化したことを検出するピーク検出手段と、上記ピーク検出手段が上記第１の合焦評価値が極大値若しくは極小値を越えて変化したことを検出した後は、上記第２の合焦評価値に基づいた図形を上記表示手段に表示させるように制御する制御手段と、を具備することを特徴とする。
【００２０】
請求項１１に記載の発明は、請求項９若しくは１０に記載の発明に於いて、上記図形の形状とは、上記図形のサイズ若しくは図形の一方向の長さ或いは図形の表示位置であることを特徴とする。
【００２１】
請求項１２に記載の発明は、請求項１１に記載の発明に於いて、上記図形は長方形であり、上記制御手段は、上記第１若しくは第２の合焦評価値を当該長方形の長さで上記表示手段に表示させるように制御することを特徴とする。
【００２２】
請求項１３に記載の発明は、請求項１１に記載の発明に於いて、上記評価値算出手段は、上記撮像手段が出力する映像信号にハイパス処理を実行するハイパスフィルタと、当該ハイパスフィルタのフィルタ特性を決定するパラメータを設定するパラメータ設定手段とを有し、上記パラメータ設定手段により設定された第１のパラメータを有する上記ハイパスフィルタで上記第１の合焦評価値を算出し、上記パラメータ設定手段により設定された第２のパラメータを有する上記ハイパスフィルタで上記第２の合焦評価値を算出することを特徴とする。
【００２３】
請求項１４に記載の発明は、請求項１３に記載の発明に於いて、上記パラメータ設定手段は、上記第２のパラメータを有するハイパスフィルタのカットオフ周波数が、上記第１のパラメータを有するハイパスフィルタのカットオフ周波数よりも高くなるように設定することを特徴とする。
【００２４】
請求項１５に記載の発明は、請求項１４に記載の発明に於いて、上記パラメータ設定手段は、上記第１のパラメータ及び上記第２のパラメータを、上記撮影レンズの焦点距離に基づいて決定することを特徴とする。
【００２５】
請求項１６に記載の発明は、撮像レンズを介して結像した被写体像を光電変換して映像信号として出力する撮像手段と、上記撮像手段の出力に基づいて現在の合焦度合いを評価するもので、少なくとも第１の種類の合焦評価値と第２の種類の合焦評価値を算出する合焦評価値演算手段と、上記撮影レンズの合焦操作により上記第１の種類の合焦評価値の変化から当該合焦評価値がピークを通過したことを検出するピーク検出手段と、上記合焦評価値演算手段の出力に基づいて、上記撮影レンズの合焦度合いを視覚的に表示するための第１の種類の合焦評価値に対応する粗調整用表示バー及び第２の種類の合焦評価値に対応する微調整用表示バーを作成する表示バー作成手段と、上記ピーク検出手段の検出結果に応じて、上記表示バー作成手段で作成された粗調整表示バー及び微調整表示バーの少なくとも一方を選択する選択手段と、上記選択手段で選択された上記粗調整表示バー及び微調整表示バーの少なくとも一方を含む合焦メータ画像を作成する合焦メータ作成手段と、上記撮像手段が出力する映像信号と、上記合焦メータ作成手段で作成された合焦メータ画像を合成する合成手段と、上記合成手段で合成された合焦メータ画像を表示する表示手段と、を具備することを特徴とする。
【発明の効果】
【００２６】
本発明によれば、マニュアルフォーカス可能なカメラに於いて、ピント合わせを容易に行うことができるカメラの焦点状態表示装置を提供することができる。また、山登りＡＦ機能を有するカメラでは、合焦評価値を算出する機能を新たに設ける必要がないので、コストアップせずにマニュアルフォーカスでの容易なピンと合わせを実現することができる。
【発明を実施するための最良の形態】
【００２７】
以下、図面を参照して本発明の実施形態について説明する。
【００２８】
（第１の実施形態）
図１は本発明の第１の実施形態を示すもので、本発明のカメラの焦点状態表示装置の主要な構成を示すブロック図である。
【００２９】
図１に於いて、このカメラの焦点状態表示装置は、撮像手段である撮像部１と、評価値算出手段である合焦評価値演算部２と、ピーク検出手段であるピーク検出部３と、表示バー作成部４と、選択部５と、変換手段である合焦メータ作成部６と、制御手段である合成部７と、表示手段であるモニタ８とを有して構成される。
【００３０】
上記撮像部１は、図示されないレンズにより結像した被写体像を光電変換して映像信号として出力する。合焦評価値演算部２は、撮像部１の出力に基づいて、現在の合焦度合いを評価するもので、少なくとも第１の種類の合焦評価値と第２の種類の合焦評価値を算出する。ピーク検出部３は、レンズの合焦操作により上記第１の種類の合焦評価値の変化から当該合焦評価値がピークを通過したことを検出する。
【００３１】
表示バー作成部４は、合焦評価値演算部２の出力に基づいて、合焦度合いを視覚的に表示するための第１の種類の合焦評価値に対応する粗調整用表示バー、及び第２の種類の合焦評価値に対応する微調整用表示バーを作成する。選択部５は、ピーク検出部３の検出結果に応じて表示バー作成部４で作成された粗調整表示バーまたは微調整表示バーの一方または両方を選択する。
【００３２】
合焦メータ作成部６は、選択部５で選択された粗調整表示バーまたは微調整表示バーを含む合焦メータ画像を作成する。合成部７は、撮像部１が出力する映像信号と合焦メータ作成部６で作成された合焦メータ画像を合成してモニタ８に出力させる。モニタ８は、合成部７で合成された合焦メータ画像を表示する。
【００３３】
このような構成に於いて、撮像部１にて、図示されないレンズにより取り込まれて結像された被写体像が、光電変換されて映像信号として合焦評価値演算部２及び合成部７に出力される。合焦評価値演算部２では、撮像部１の出力に基づいて、現在の合焦度合いを評価するもので、少なくとも第１の種類の合焦評価値と第２の種類の合焦評価値が算出される。そして、ピーク検出部３では、レンズの合焦操作によって、上記第１の種類の合焦評価値の変化から、当該合焦評価値がピークを通過したことが検出される。
【００３４】
表示バー作成部４では、合焦評価値演算部２の出力に基づいて、合焦度合いを視覚的に表示するための粗調整用表示バー及び微調整用表示バーが作成される。粗調整用表示バーは上記第１の種類の合焦評価値に対応するもので、微調整用表示バーは第２の種類の合焦評価値に対応するものである。
【００３５】
そして、選択部５にて、ピーク検出部３の検出結果に応じて、表示バー作成部４で作成された上記粗調整表示バーまたは微調整表示バーの一方または両方が選択される。すると、合焦メータ作成部６では、選択部５で選択された粗調整表示バーまたは微調整表示バーを含む合焦メータ画像が作成される。合成部７では、上記撮像部１から出力された映像信号と、合焦メータ作成部６で作成された合焦メータ画像が合成される。そして、この合成された合焦メータ画像が、モニタ８に表示される。
【００３６】
図２は、本発明の第１の実施形態に係るカメラ焦点状態表示装置が適用されたカメラのシステム構成を示すブロック図である。
【００３７】
図２に於いて、上記レンズ鏡筒１０は、上記カメラ本体３０の前面に設けられた、図示されないレンズマウントを介して着脱自在に装着可能である。そして、上記レンズ鏡筒１０は、撮影レンズ１１と、絞り１２と、レンズ駆動機構１３と、絞り駆動機構１４と、レンズ制御用マイクロコンピュータ（以下、Ｌμｃｏｍと略記する）１５と、メモリ１６及びピントリング１８から構成されている。
【００３８】
上記撮影レンズ１１は、レンズ駆動機構１３内に存在する図示されないＤＣモータによって、光軸方向に駆動される。また、撮影レンズ１１は、複数の光学レンズにより構成されるが、図２に於いては１つの光学レンズで代表して図示されている。絞り１２は、絞り駆動機構１４内に存在する図示されないステッピングモータによって駆動される。絞り１２の開閉が制御されることによって、撮影レンズ１１を介してカメラ本体３０に入射する被写体からの光束の光量が制御される。
【００３９】
また、Ｌμｃｏｍ１５は、上記レンズ駆動機構１３や絞り駆動機構１４等、レンズ鏡筒１０内の各部を駆動制御する。このＬμｃｏｍ１５は、カメラ本体３０のレンズマウントにレンズ鏡筒１０が装着された際に、通信コネクタ２０を介して、後述するボディ制御用マイクロコンピュータ８０と電気的に接続がなされる。これにより、Ｌμｃｏｍ１５は、該ボディ制御用マイクロコンピュータ６０の指令に従って制御される。
【００４０】
尚、レンズ駆動機構１３内のＤＣモータの制御及び絞り駆動機構１４内のステッピングモータの制御は、後述するボディ制御用マイクロコンピュータ６０の指令を受けたＬμｃｏｍ１５によって行われる。また、レンズ鏡筒１０の周囲には、上記ピントリング１８が、該レンズ鏡筒１０の円周方向に沿って回転可能に設けられている。このピントリング１８を撮影者が回転させると、その回転に同期してレンズ駆動機構１３によって撮影レンズ１１が光軸上に移動され、マニュアルフォーカスが可能になる。
【００４１】
また、記憶手段としてレンズ鏡筒１０内に配置されたメモリ１６には、装着されるレンズの各種パラメータや後述するハイパスフィルタに関する情報が記憶されている。これらのパラメータや情報は、通信コネクタ２０を介してボディ制御用マイクロコンピュータ６０から読み出せるようになっている。
【００４２】
一方、カメラ本体３０は、以下のように構成されている。
【００４３】
レンズ鏡筒１０内の撮影レンズ１１、絞り１２を介して入射される図示されない被写体からの光束は、クイックリターンミラー（メインミラー）３１で反射されて、ペンタプリズム３２を介して接眼レンズ３３に至る。これによって、接眼レンズ３３を介して観察用の像が形成される。
【００４４】
また、ペンタプリズム３２の近傍には測光回路３４が設けられており、ペンタプリズム３２を通過した光束の一部が、測光回路３４内の図示されないホトセンサに入射するようになっている。測光回路３４では、ホトセンサで検出された光束の光量に基づいて周知の測光処理が行われる。
【００４５】
測光回路３４で処理された結果は、このカメラ本体３０内の各部を制御するためのボディ制御用マイクロコンピュータ（以下、Ｂμｃｏｍと略記する）６０に送信される。Ｂμｃｏｍ６０では、測光回路３４から入力された結果に基づいて撮影時の露光量が演算される。この結果は、Ｂμｃｏｍ６０から通信コネクタ２０を介してＬμｃｏｍ１５に送信される。Ｌμｃｏｍ１５では、Ｂμｃｏｍ６０から通知された露光量に基づいて絞り１２の駆動制御が行われる。
【００４６】
上記メインミラー３１の中央部はハーフミラーになっており、該メインミラー３１がダウン（図示の位置）した際に一部の光束が透過する。そして、この透過した光束は、メインミラー３１に設置されたサブミラー３７で反射され、自動焦点調節処理（ＡＦ処理）を行うためのＡＦセンサユニット３８に導かれる。尚、サブミラー３７は、上記メインミラー３１のアップ時には折り畳まれるようになっており、メインミラー３１と共に撮影光路より退避される。
【００４７】
すなわち、カメラが観察状態にある場合は、メインミラー３１及びサブミラー３７は、図２に示されるように、ダウン位置に配置される。これにより、撮影レンズ１１及び絞り１２を介した被写体からの光束は、メインミラー３１で反射されて、ペンタプリズム３２、接眼レンズ３３を介して撮影者により観察されると共に、サブミラー３７を介してＡＦ処理が行われるべくＡＦセンサユニット３８に導かれる。一方、カメラが撮影動作状態にある場合には、メインミラー３１及びサブミラー３７は、撮影光路より退避して所定のアップ位置に移動される（図示せず）。
【００４８】
このようなメインミラー３１の駆動は、ミラー駆動機構４０によって行われる。また、ミラー駆動機構４０の制御は、Ｂμｃｏｍ６０によって行われる。
【００４９】
また、ＡＦセンサユニット３８の内部には、図示されないエリアセンサが設けられており、このエリアセンサに入射された光束が電気信号に変換される。このエリアセンサからの出力は、ＡＦセンサ駆動回路３９を介してＢμｃｏｍ６０へ送信される。そして、Ｂμｃｏｍ６０に於いて測距処理が行われ、焦点調節に必要な撮影レンズ１１の焦点状態（デフォーカス量）が演算される。この結果は、Ｂμｃｏｍ６０からＬμｃｏｍ１５に送信される。Ｌμｃｏｍ１５では、Ｂμｃｏｍ６０から通知された移動量に基づいて撮影レンズ１１の駆動制御が行われる。
【００５０】
上記メインミラー３１の後方には、光軸上のフォーカルプレーン式のシャッタ４３と、光学系を通過した被写体像を光電変換するための光電変換素子であり、ＣＣＤ等で構成される撮像素子４５が設けられている。図示されないが、メインミラー３１が光路より退避した場合、撮影レンズ１１及び絞り１２を通った光束は、撮像素子４５の撮像面上に結像される。
【００５１】
上記撮像素子４５は、インターフェイス回路４８を介して、画像処理を行うための画像処理コントローラ５０に接続されている。そして、この画像処理コントローラ５０には、モニタ８に対応した液晶モニタ５１と、記憶領域として設けられたバッファメモリ（ＳＤＲＡＭ）５２、ＦｌａｓｈＲＯＭ５３及び記録メディア５４等が接続されている。
【００５２】
ここで、バッファメモリ５２は、画像データ等のデータの一時保管用メモリであり、画像データに各種処理が施される際のワークエリア等に利用される。また、図１に示される合焦評価値演算部２、ピーク検出部３、合焦メータ作成部６及び合成部７で実行される処理のためのデータを一時的に記憶する。上記記録メディア５４は、図示されないカメラのインターフェイスを介してカメラ本体３０に対し脱着可能な各種のメモリカードや外付けのハードディスクドライブ（ＨＤＤ）等の外部記録媒体である。
【００５３】
上記画像処理コントローラ５０は、後述するハイパスフィルタとしての機能をも有しているもので、上述した測光回路３４と、ＡＦセンサ駆動回路３９と、ミラー駆動機構４０と、シャッタチャージ機構４６と、シャッタ制御回路４７と、不揮発性メモリ（ＥＥＰＲＯＭ）５６と共に、Ｂμｃｏｍ６０に接続されている。上記Ｂμｃｏｍ６０には、更に、電源回路６１を介して電池６２と、当該カメラの動作状態を表示出力によって撮影者へ告知するための動作表示用ＬＣＤ６３と、カメラ操作スイッチ（ＳＷ）６５と、が接続されている。
【００５４】
尚、上述したように、上記Ｂμｃｏｍ６０とＬμｃｏｍ１５とは、レンズ鏡筒１０の装着時に於いて、通信コネクタ２０を介して通信可能に電気的接続がなされる。そして、デジタルカメラとしてＬμｃｏｍ１５がＢμｃｏｍ６０に従属的に協働しながら稼動するようになっている。
【００５５】
上記ＡＦセンサ駆動回路３９は上記ＡＦセンサユニット３８を駆動制御するための回路であり、ミラー駆動機構４０はメインミラー３１を駆動制御する機構である。また、シャッタチャージ機構４６は、フォーカルプレーン式のシャッタ４３を構成する図示されない先幕と後幕を駆動するばねをチャージするものである。シャッタ制御回路４７は、上記シャッタ４３の先幕と後幕の動きを制御すると共に、Ｂμｃｏｍ６０との間でシャッタの開閉動作を制御する信号等の授受を行う。
【００５６】
不揮発性メモリ５６は、上述したバッファメモリ５２、ＦｌａｓｈＲＯＭ５３、記録メディア５４以外の記憶領域として、カメラ制御に必要な所定の制御パラメータを記憶する記憶手段であり、Ｂμｃｏｍ６０からアクセス可能に設けられている。尚、このＢμｃｏｍ６０は、パラメータ設定手段としての機能を有している。そして、図１に示される撮像部１、合焦評価値演算部２、ピーク検出部３、表示バー作成部４、選択部５、合焦メータ作成部６、合成部７及びモニタ８に、それぞれの処理を順次実行するように指示する。
【００５７】
更に、電源回路６１は、電源としての電池６２の電圧を、当該カメラシステムの各回路ユニットが必要とする電圧に変換して供給するために設けられている。
【００５８】
動作表示用ＬＣＤ６３は、当該カメラの動作状態を表示出力によって撮影者へ告知するためのものである。上記カメラ操作スイッチ６５は、例えば撮影動作の実行を指示すると共に、メインミラー３１を撮影光路の内外に切り替えるレリーズスイッチ、撮影モードと画像表示モードを切り換えるモード変更スイッチ及びパワースイッチ等、当該カメラを操作するために必要な操作釦を含むスイッチ群で構成される。
【００５９】
そして、図１に示される撮像部１は、撮影レンズ１１、絞り１２、シャッタ４３、撮像素子４５及びインターフェイス回路４８に対応し、合焦評価値演算部２、ピーク検出部３、合焦メータ作成部６及び合成部７は、画像処理コントローラ５０及びバッファメモリ５２に対応し、モニタ８は液晶モニタ５１に対応する。
【００６０】
ところで、撮像素子４５で得られた電気信号（画像信号）は、所定タイミング毎にインターフェイス回路４８を介して読み出されてデジタル化される。インターフェイス回路４８でデジタル化されて得られた画像データは、画像処理コントローラ５０を介してバッファメモリ５２に格納される。
【００６１】
また、電子ビューファインダ（ＥＶＦ）表示が行われる場合には、インターフェイス回路４８を介して読み出され、バッファメモリ５２に格納された画像データが画像処理コントローラ５０によって読み出される。画像処理コントローラ５０によって読み出された画像データは、ＥＶＦ表示用のホワイトバランス補正等の画像処理が施された後、バッファメモリ５２に格納される。その後、バッファメモリ５２に格納された画像データは、フレーム単位で画像処理コントローラ５０によって読み出されてビデオ信号に変換される。このビデオ信号は、表示用の所定のサイズにリサイズされた後、液晶モニタ５１に表示される。
【００６２】
また、撮影終了後には、インターフェイス回路４８を介して読み出され、バッファメモリ５２に格納された画像データが、画像処理コントローラ５０によって読み出される。画像処理コントローラ５０によって読み出された画像データは、ホワイトバランス補正や、階調補正、色補正等の周知の画像処理が施された後、バッファメモリ５２に格納される。その後、バッファメモリ５２に格納された画像データが、画像処理コントローラ５０によって読み出されてビデオ信号に変換され、表示用の所定のサイズにリサイズされた後、液晶モニタ５１に出力表示される。撮影者は、液晶モニタ５１に表示された画像により、撮影した画像を確認することができる。
【００６３】
また、画像記録時には、画像処理コントローラ５０によって処理された画像データが、ＪＰＥＧ方式等の周知の圧縮方式によって圧縮される。ＪＰＥＧ圧縮によって得られたＪＰＥＧデータは、バッファメモリ５２に格納された後、所定のヘッダ情報が付加されたＪＰＥＧファイルとして、ＦｌａｓｈＲｏｍ５３や記録メディア５４に記録される。ここで、ＦｌａｓｈＲｏｍ５３は、カメラに内蔵のメモリを想定しており、記録メディア５４はカメラの外部に装着され得るものを想定している。記録メディア５４としては、例えばカメラに着脱自在に構成されたメモリカードやハードディスクドライブ等が用いられる。
【００６４】
また、ＦｌａｓｈＲｏｍ５３や記録メディア５４に記録されたＪＰＥＧファイルから画像を再生する際には、ＦｌａｓｈＲｏｍ５３や記録メディア５４に記録されたＪＰＥＧデータが、画像処理コントローラ５０によって読み出されて伸長される。その後、この伸長データがビデオ信号に変換された後、表示用の所定のサイズにリサイズされ、液晶モニタ５１に出力表示される。
【００６５】
上述した電子ビューファインダ（ＥＶＦ）は、スルー画像を表示することが可能である。スルー画像を表示する場合には、先ずメインミラー３１をアップ位置まで移動し、シャッタ４３を開口する。これによって、撮影光束は直接撮像素子４５に入射し、所定のフレームレート（１秒間の撮影画像数）の撮影で、撮像素子４５により撮像された映像を画像処理コントローラ５０によって読み出し、撮影画像を液晶モニタ５１に表示する。このとき、撮影者は、接眼レンズ３３を覗かなくても被写体像を観察することができる。
【００６６】
図３は、本実施形態に於けるカメラの外観を示した背面図である。
【００６７】
図３に示されるように、カメラ３０の背面の上部側には、メインダイヤル７１と、モードダイヤル７２と、ライブ釦７３と、ＡＥロック釦７４と、ＡＦフレーム釦７５とが設けられている。また、カメラ３０の背面の中央部には、再生モード釦７８と、メニュー釦７９と、十字釦８０と、ＯＫ釦８１と、液晶モニタ５１が設けられている。更に、カメラ背面の下部には、情報表示釦８３と、プロテクト釦８４と、消去釦８５が設けられている。
【００６８】
メインダイヤル７１は、該ダイヤルが回転操作されることにより、現在撮影者によって押されている操作部材に係る機能の設定変更を行うことが可能である。モードダイヤル７２は、撮影時のモードを設定するためのもので、例えば、ポートレート、スポーツ、記念撮影、風景、夜景等のモードがある。
【００６９】
ライブ釦７３は、上述したスルー画像表示を行うモードを選択するための釦である。以降、スルー画像表示を行うモードをライブビューモードと称するものとする。ライブ釦７３が押されると、液晶モニタ５１にスルー画像が表示されてライブビューモードに入る。再度ライブ釦７３が押されると、ライブビューモードから抜ける。ライブビューモード中はメインミラー３１がアップ位置、すなわち撮影光路より退避しているので、ＡＦセンサユニット３８には光束が導かれず、ＡＦ動作は不能となる。したがって、同モード中は自動的にＭＦ動作に切り替わる。
【００７０】
ＡＥロック釦７４は、露光条件を固定するための釦である。このＡＥロック釦７４が押されている間は、そのとき演算されている露光量が固定される。また、ＡＦフレーム釦７５は、撮影時のＡＦ方式を選択するための釦である。このＡＦフレーム釦７５が押されている状態で、メインダイヤル７１のダイヤル操作がなされることにより、ＡＦ方式が、例えばマルチＡＦまたはスポットＡＦに変更される。マルチＡＦでは、画面内の複数測距点の焦点状態が検出される。一方、スポットＡＦでは、画面内の一点（複数候補の中から選択できる）の焦点状態が検出される。
【００７１】
再生モード釦７８は、カメラ３０の動作モードを、ＦｌａｓｈＲｏｍ５３や記録メディア５４に記録されたＪＰＥＧファイルから、画像を液晶モニタ５１に再生表示できる再生モードに切り替えるための釦である。
【００７２】
メニュー釦７９は、液晶モニタ５１にメニュー画面を表示させるための釦である。また、十字釦８０は、上記メニュー画面に於いてカーソルを、例えば上下左右の方向に移動させて所望の項目を選択するために操作されるもので、複数（この場合４つ）の方向に分割された釦により構成される。これら十字釦８０のうちの何れかが撮影者により押されると、そのときにメニュー画面に表示されている項目が選択されることになる。そして、ＯＫ釦８１は、上記メニュー画面上で選択された項目を決定するための釦である。上記十字釦８０により項目が選択された状態でこの決定釦８１が押されると、選択された当該項目が決定される。
【００７３】
上記メニュー画面は、複数の階層構造から成るメニュー項目によって構成されている。撮影者は、所望のメニュー項目を十字釦８０で選択することができ、ＯＫボタン８１で選択した項目を決定することができる。ここで、メニュー項目としては、例えばＦｌａｓｈＲｏｍ５３や記録メディア５４のセットアップ、画像データの画質、画像処理、シーンモード等の設定を行うことが可能な撮影メニュー、画像再生時の再生条件及び画像プリント時の設定等を行うことが可能な再生メニュー、撮影者の好みに応じた種々の細かい設定を行うことが可能なカスタムメニュー、及び警告音の種類等のカメラの動作状態を設定するセットアップメニュー等がある。
【００７４】
例えば、シーンモードの設定時には、モードダイヤル７２がシーンモード（ＳＣＮ）に設定されている状態で、メニュー画面上で所望のシーンを選択することができる。このシーンの例としては、上述したポートレート、スポーツ、記念撮影、風景、夜景等がある。これら選択されたシーンに応じて、露光条件、フラッシュ発光の条件、測光モード、ＡＦ方式、連写間隔等の撮影時の撮影条件が設定される。
【００７５】
上記各操作部材の操作によって設定された内容は、バッファメモリ５２またはＢμｃｏｍ６０内の図示されないメモリ等に保存される。
【００７６】
情報表示釦８３は、画像データの付加情報（例えば、Ｅｘｉｆ情報）に基づく画像情報を液晶モニタ５１に表示させるための釦である。また、プロテクト釦８４は、再生モード中に於いて、誤って画像データが消去されないように、画像データにプロテクトをかけるための釦である。更に、消去釦８５は、再生モード中に於いて、画像データ（ＪＰＥＧファイル）をＦｌａｓｈＲｏｍ５３や記録メディア５４から消去するための釦である。
【００７７】
図４は、ライブビューモード時の液晶モニタ５１の様子を説明するための図である。
【００７８】
上述したように、ライブ釦７３が押されると、ライブモードに入り、被写体のスルー画表示が開始される。
【００７９】
同モードでは、撮影者が任意の領域を拡大可能になっている。すなわち、図４（ａ）に示されるように、液晶モニタ５１内に拡大領域を指定する拡大ボックス９０が表示され（同図では被写体は省略されている）、この領域内の画像を液晶モニタ５１の画面一杯に拡大することができる構成になっている。画像を拡大表示する目的は、マニュアルフォーカスでピントを合わせやすくするためである。拡大ボックス９０は、十字釦８０を操作することによって画面内の任意の位置（例えば、図４（ａ）に破線で示される位置）に移動可能であり、撮影者が自由にその位置を指定することができる。
【００８０】
例えば、図４（ｂ）に示されるように、被写体９１の顔の部分を拡大したい場合には、当該被写体９１の顔の部分の位置に拡大ボックス９０を合わせ、ＯＫ釦８１を押せばよい。すると、図４（ｂ）に示される拡大ボックス９０に対応した画面が、図４（ｃ）に示されるように、液晶モニタ５１に一杯に表示され、拡大モードに移行する。
【００８１】
拡大モードでは、拡大ボックス９０内の被写体９１が拡大表示され、その中心５０％の領域が、合焦評価値演算領域９２として、合焦評価値が所定のフレームレートおきに演算される。
【００８２】
そして、演算された合焦評価値は、画面右側の合焦メータ９５内に、表示バー９６または後述する表示バー９７として表示される。本発明では、合焦評価値は、後述する演算に従って表示用の値に演算されて表示されるが、表示バー９６が伸びるほど合焦評価値が高く（より合焦している）、表示バー９６が短いほど合焦評価値が低いことを表している。
【００８３】
本発明の特徴として、合焦メータ９５は、粗調整用表示バー９６と微調整用表示バー９７の２つの表示バーを有した画像を表示するものである。そして、詳細は後述するが、撮影者がＭＦの操作を開始すると、初めは粗調整用表示バー９６のみが伸縮し、その間、微調整用表示バー９７は停止しているか非表示となっている。そして、合焦評価値のピークを越えたと判断されると、微調整用表示バー９７が伸縮し、その間、粗調整用表示バー９６は停止しているか非表示となっている。
【００８４】
もし、微調整用と粗調整用の表示バーを分けずに同一の表示バーで表示した場合には、その切り替わり点に於いて表示が不連続になり、撮影者に違和感を与えると共に、ＭＦで合焦され難くなる。ところが、本発明のように、表示バーを微調整用と粗調整用に分けることによって、そのような問題点が解消されるという効果がある。
【００８５】
尚、ここでは、拡大モード時のみ合焦評価値の表示バー９６を表示するようにしているが、図４（ｂ）に示されるような非拡大モード時にも表示するようにしてもよい。
【００８６】
次に、図５のフローチャートを参照して、本実施形態に於けるカメラのライブビューモードにて撮影動作まで行う場合の処理の流れについて説明する。
【００８７】
先に説明したライブビューモードへの移行操作によって図５(ａ)の処理に移行する。このライブビューモードでの撮影動作処理が開始されるときには、既に上述した図４（ｃ）に示される拡大モードの画面に移行している。
【００８８】
尚、このカメラの動作は、主にカメラ本体３０内のＢμｃｏｍ６０の制御によって行われる。
【００８９】
本シーケンスに入ると、先ずステップＳ１にて、詳細を後述するサブルーチン「ライブビューモード動作」の処理が行われる。そして、ステップＳ１のライブビュー中に、図示されないレリーズ釦が全押しされて後述する第２レリーズスイッチがオンされると、ステップＳ１の処理が終了してステップＳ２に移行する。すると、測光動作のために、メインミラー３１が、一旦撮影光路内のダウン位置まで駆動される。つまり、ステップＳ２では、アップされている（撮影光路より退避している）メインミラー３１がダウンされる。
【００９０】
本発明のカメラに於けるレリーズスイッチは、一般的な２段階スイッチになっており、図示されないレリーズ釦の半押し状態で第１のレリーズスイッチがオンになり、全押し状態で第２のレリーズスイッチがオンになる。第１レリーズスイッチがオンになると合焦動作や測光動作が行われ、第２レリーズスイッチがオンになると撮影動作が行われるようになっている。
【００９１】
次いで、ステップＳ３では、測光回路３４にて測光が行われ、シャッタ４３の開口時間や絞り１２の絞り値が演算される。そして、ステップＳ４にて、上記メインミラー３１が、再びアップ位置まで駆動される。ステップＳ５では、絞り１２が上記ステップＳ３で演算された絞り位置まで駆動される。そして、ステップＳ６にて、撮像素子４５が駆動開始されて撮像が開始される。
【００９２】
次に、ステップＳ７では、上記ステップＳ３にて演算された開口時間だけ、シャッタ４３が開口される。続いて、ステップＳ８にて、シャッタ４３が閉口されたので撮像素子４５の駆動が停止され、インターフェイス回路４８により撮像素子４５から画素データが読み出される。
【００９３】
ステップＳ９では、上記ステップＳ８で読み出された画素データが、画像処理コントローラ５０にて画像処理される。この画像処理が施された画像データは、続くステップＳ１０にてバッファメモリ５２に一時的に格納される。その後、ステップＳ１１にて絞り１２が開放位置まで戻される。
【００９４】
そして、ステップＳ１２では、画像ファイルが生成される。このファイルは、上記ステップＳ１０に格納されている画像データが記録メディア５４に書き込まれる形態に生成される。更に、ステップＳ１３にて、上記ステップＳ１２で生成された画像データが、記録メディア５４へ記録される。
【００９５】
その後、上記ステップＳ１に移行してライブビュー動作が再開される。
【００９６】
図６は、ライブビューモードが終了する場合の処理の流れを説明するためのフローチャートである。
【００９７】
図５のフローチャートに於ける上記ステップＳ１のライブビューモード中に、再度ライブ釦７３が押されてライブビューモードが終了する場合に、このフローチャートに処理が移行する。
【００９８】
先ず、ステップＳ２１では、液晶モニタ５１のライブビュー表示がオフにされる。次いで、ステップＳ２２にて、ライブビューモード中はＭＦモードであったのでそれが解除されて、ライブビューモード以前に設定されていたＡＦモードに戻される。更に、ステップＳ２３では、シャッタ４３が開口されているので閉口される。
【００９９】
ステップＳ２４では、上記シャッタ４３が閉口されたことにより、撮像素子４５の駆動が停止される。そして、ステップＳ２５にて、メインミラー３１が初期位置であるダウン位置まで駆動される。
【０１００】
その後、待機状態となる。
【０１０１】
図７は、本発明の第１の実施形態の表示例を説明する図である。
【０１０２】
図７（ａ）は、各レンズ位置に於ける合焦評価値の一例を示す図である。図４（ｃ）の表示例で説明したように、拡大モードに切り替わった瞬間に、例えば、レンズ位置がＬ2 の位置にあり、その時から所定のフレームレートで合焦評価値演算が繰り返し行われ、Ｌ2の位置の合焦評価値がＡＦref とかなり低い（かなりピンボケした）状態にあるとする。
【０１０３】
この位置から撮影者がピントリング１８を回転させてＭＦを行おうとした場合に、最初はどちらの方向にピントリング１８を回転させれば合焦に近くなるかは不明である。したがって、ピントリンク１８をどちらかの方向に回して、仮にレンズ位置がＬ1 になると、更にピンボケがひどい状態になる。そこで、撮影者がどんどん逆方向にピントリング１８を回転させると、レンズ位置はＬ1 からＬ2 〜Ｌ4 を通過して、Ｌ5 の位置で合焦評価値が最大となって合焦となる。ところが、撮影者にとっては、その位置（Ｌ5 ）が合焦評価値最大かどうかは、その時点で不明である。したがって、更にピントリング１８を回転させると、レンズ位置はＬ6 の位置に到達する。すると、Ｌ6 の位置ではピントがややぼけるので、撮影者はレンズ位置Ｌ1 〜Ｌ6 の間で合焦位置を通過したことを察する。そこで、撮影者は、ピントリング１８を逆回転させて、レンズ位置をＬ5 に戻す操作を行う。
【０１０４】
ここでは、図７（ａ）に示される移動ｍ１と移動ｍ２の状態を「粗調整」と定義し、ピントリング１８を回転させて、Ｌ5 の位置近傍に合焦評価値のピーク（合焦点）があることを検出する動作までを指す。
【０１０５】
また、粗調整後には、後述するように表示が切り替わって「微調整」に移行する。この「微調整」とは、ピントリング１８をＬ6 からＬ5 の位置に向かって比較的ゆっくり回転させ、合焦点を正確に捉える動作を指す。
【０１０６】
図７（ｂ）は、図７（ａ）の各レンズ位置に於ける、合焦メータ９５内に表示される粗調整用表示バー９６の表示例を示したものである。このとき、微調整用表示バー９７は、停止しているか非表示となっている。
【０１０７】
ここで、Ｌ2 の位置の表示を基準として、そのときの合焦評価値をＡＦref とする。すなわち、拡大モードに切り替わった最初の合焦評価値を基準とする。
【０１０８】
Ｌ2 の位置からＬ1 の位置への移動（図７（ａ）に示される移動ｍ１）では、合焦評価値が減少するので、例えば下記（１）式のような演算を行い、粗調整用表示バー９６に表示する値を求める。
【０１０９】
ＡＦnow ＜ＡＦref のとき：  
表示値ＡＦlevel ＝１０×（ＡＦnow ／ＡＦref ）−５          …（１）  
ここで、ＡＦnow は最新の合焦評価値であり、また、上記（１）式の結果で、ＡＦlevel ＜０になると０に丸める。上記（１）式からわかるように、Ｌ2 の位置の場合にはＡＦlevel ＝５であるので、粗調整用表示バー９６は全体の中央を示しており、Ｌ1 の位置に移動されるにつれてＡＦlevel はどんどん小さくなる。
【０１１０】
ＡＦnow とＡＦref の比を１０倍して表示しているので、撮影者が合焦と反対の方向にピントリング１８を回転させると、図７（ｂ）に示されるように、粗調整用表示バー９６が急激に小さくなって、合焦方向に向かっていないことをはっきりと知らせるという効果がある。
【０１１１】
Ｌ2 の位置からＬ6 の位置への移動（図７（ａ）に示される移動ｍ２）の場合には、合焦評価値が増加するので、例えば下記（２）式のような演算を行い、粗調整用表示バー９６に表示する値を求める。
【０１１２】
ＡＦnow ≧ＡＦref のとき：  
表示値ＡＦlevel ＝log2（ＡＦnow ／ＡＦref ）＋５            …（２）  
上記（２）式でわかるように、Ｌ2 の位置の場合には、ＡＦlevel ＝５であるので、表示バー９６は全体の中央を示しており、Ｌ5 の位置に移動されるにつれてＡＦlevel は大きくなり、合焦点であるＬ5 の位置を過ぎるとＡＦlevel は減少する。そして、例えば、Ｌ6 の位置にてピークを越えたと判断されると、図７（ｂ）に示される粗調整用表示バー９６から図７（ｃ）に示される微調整用表示バー９７に、つまり粗調整から微調整に、表示バーの表示が切り替わる。
【０１１３】
また、図７（ｂ）の粗調整表示バー９６は、対数圧縮と非圧縮の組み合わせにより表示バーが表示されるが、微調整表示バー９７は評価値全レンジに於いて非圧縮にて表示される。
【０１１４】
次に、ＡＦnow をＡＦref で規格化して表示する理由について説明する。
【０１１５】
合焦評価値の絶対値は、その性格上、被写体のコントラストや輝度や手ぶれによって大きく変化することが知られている。したがって、合焦評価値をリニアスケールで表示すると、表示バー９６が被写体条件によって大きく振れたり小さく振れたりすることになり、ピークをとらえることはできるものの、合焦評価値について知識の乏しい一般ユーザから見ると、合焦メータ９５がマニュアルフォーカスし易くするための役割を果たしているとは言い難い。
【０１１６】
そこで、ある値で規格化した値を表示することが望ましく、規格化のベースとして著しくピンボケした位置での評価値ＡＦref が最適である。それは、ＡＦpeak−ＡＦref のレンジを大きくすることができるからである。合焦評価値の絶対値は、被写体条件によって大きくばらつくが、ＡＦref 基準でみるとＡＦpeak−ＡＦref のレンジは十分に大きく、且つ所定範囲に収まり、粗調整用表示バー９６の表示レンジ（ここでは、５〜１０）を最適化することができる。
【０１１７】
次に、対数圧縮する理由について説明する。
【０１１８】
合焦評価値の絶対値は、その演算方法によっても異なるが、ＡＦpeakとＡＦref の比は数十倍であり、そのまま表示したのでは表示バー９６の表示レンジを適切に設定することができない。したがって、対数圧縮する必要があるが、上記（２）式の場合には、ＡＦlevel は５〜１０まで表示できるので、２5 ＝３２倍まで対応することができる。
【０１１９】
もちろん、合焦評価値の演算方法によって、ＡＦpeakとＡＦref の比がもっと小さい場合には対数圧縮しなくてもよいし、圧縮方法も対数でなくてもよい。
【０１２０】
レンズがＬ6 の位置に到達し、合焦評価値がピークを過ぎたと判断されると、図７（ｃ）に示されるような、微調整用の表示バーに切り替わる。このときのピークを越えたか否かの判断は、ピークのＬ5 の位置での合焦評価値ＡＦpeakよりも所定値だけ合焦評価値が低下したことを判断すればよい。
【０１２１】
合焦メータ９５内の表示が、図７（ｂ）に示されるような粗調整表示バー９６から図７（ｃ）に示されるような微調整用表示バー９７に切り替わった後は、粗調整用表示バー９６は停止しているか非表示になっている。表示バーを別々にする理由は、先に述べたとおりである。
【０１２２】
ここでは、微調整用表示バー９７のスケールを、粗調整用表示バー９６のスケールよりも拡大して、合焦位置までＭＦをし易くしてある。
【０１２３】
図７（ｂ）までの処理で、初期位置から合焦位置までの評価値全レンジ（ＡＦpeak−ＡＦref ）がわかっているので、ピーク越え判断前では対数圧縮表示していた表示を、ピーク越え後は次式のように非圧縮表示に変更することによって、評価値の表示スケールを拡大する。
【０１２４】
微調整用表示バー９７：  
表示値ＡＦlevel ＝１０×（ＡＦnow ／ＡＦpeak）−２          …（３）  
これによって、ＡＦnow ＝ＡＦpeakの場合をＡＦlevel ＝８として、０〜１０の範囲でリニアスケールの表示が可能になり、Ｌ5 の合焦点付近での微調整用表示バー９７の変化量が、粗調整用表示バー９６の変化よりも大きく表示されるので、撮影者にとってはＭＦで合焦させ易くなる。つまりＭＦで精度良く合焦し易くなる。
【０１２５】
もちろん、合焦点付近のみならず、撮影者がピントリング１８を回してＬ1 の位置まで戻して（図７（ａ）の移動ｍ３）も、微調整用表示バー９７を正しく表示することができる。
【０１２６】
図８及び図９は、ピーク越え判断のアルゴリズムを説明する図である。
【０１２７】
図８（ａ）及び（ｂ）は、正しく判断できる場合を示した図である。
【０１２８】
先ず、図８（ａ）に示されるように、撮影者がピントリング１８を一定方向に回転させてピークを越えるまで回転させる（ｒ１）。そして、ピーク（ＡＦpeak）からの合焦評価値低下量ＡＦpeak−ＡＦnow が、所定量大きくなったと判断されると、合焦メータ９５内の表示形態が切り替わり、図８（ｂ）に示されるように、撮影者がその旨を認識してピントリング１８を逆回転させてピークまで戻るようにレンズを移動させる（ｒ２）。
【０１２９】
しかしながら、図９（ａ）に示されるように、ピークまで到達する前にレンズを反転させた場合（ｒ３、ｒ４）に、反転直前の合焦評価値をピークと判断しないようにしなければならない。そのため、ピントリング１８の回転方向を、レンズ駆動機構１３内の図示されないレンズ位置モニタ回路（例えば、フォトインタラプタ出力のパルスや、エンコーダ出力による）の出力により、Ｌμｃｏｍ１５を介してＢμｃｏｍ６０が検出する。
【０１３０】
図９（ａ）、（ｂ）に示される例でピークと判断しないためには、例えば、図８（ａ）に示されるように、レンズが連続的に一方向に回転していることを判断したり、ピークの前後で回転方向が反転していないことを判断することで達成することができる。つまり、図９（ａ）、（ｂ）に示される例では、後者、すなわちピークの前後で回転方向が反転していないことにより判断している。
【０１３１】
次に、図１０乃至図１２のフローチャートを参照して、第１の実施形態の表示例の動作であって、図５のフローチャートに於けるステップＳ１のサブルーチン「ライブビューモード動作」の処理について説明する。尚、図１１のフローチャートは図１０のフローチャートに於ける割り込み処理のルーチンである。
【０１３２】
本サブルーチンに入ると、先ず、ステップＳ３１にて、ライブビューモードのためにＭＦモードに移行する処理がなされる。これは、ライブビューモードではＡＦモードが使用不能であるので、図示されないＡＦモード選択スイッチによってＡＦモードが選択されている場合であっても、強制的にＭＦモードに切り替えられる。次いで、ステップＳ３２にて、メインミラー３１がアップ位置（撮影光路退避位置）まで駆動され、シャッタ４３が開口される。これにより、撮像素子４５に全光束が入射されるようになる。
【０１３３】
ステップＳ３３では、同期信号が入力されるまで待機する。ここで、同期信号とは、撮像素子４５を所定間隔おきに駆動して映像信号を得るための信号であり、例えば、フレームレートが３０フレーム／ｓの場合には、１秒間に３０回映像信号を得るので、３３．３３ｍｓ毎に同期信号がインターフェイス回路４８より入力される。
【０１３４】
上記ステップＳ３３にて同期信号が得られたならば、ステップＳ３４に移行して、レンズ位置データがＬμｃｏｍ１５から取得開始される。ここでは、上述したように、レンズ駆動機構１３内の図示されないレンズ位置モニタ回路が起動される。そして、ステップＳ３５にて、インターフェイス回路４８によって撮像素子４５の電荷蓄積動作が行われる。
【０１３５】
次いで、ステップＳ３６では、撮像素子４５の電荷蓄積動作が終了したことにより、インターフェイス回路４８により画像データが読み出される。そして、ステップＳ３７にて、今回の撮像データに公知の演算が施されて露出を評価するＡＥ評価値が演算され、それに基づいて次回の撮像素子４５駆動時の露光量が演算される。撮像素子４５は、公知の電子シャッタ機能を搭載しており、演算された露光量に従って電荷蓄積時間を設定することが可能である。
【０１３６】
ステップＳ３８では、設定エリア内の合焦評価値が演算され、その結果が初期の合焦評価値ＡＦref とされる。ここで、設定エリアとは、図４（ｃ）に示される合焦評価値演算領域９２に対応している。合焦評価値は、撮像素子４５の出力にハイパスフィルタ（ＨＰＦ）処理が施されて高周波成分が抽出され、公知の演算が行われることによって得られる値であり、さまざまな演算式が知られている。この合焦評価値は、ピントが合うほど高周波成分が多くなるので大きな値になる。
【０１３７】
次いで、ステップＳ３９にて、ＡＦpeak＝合焦評価値初期値ＡＦref と初期化される。このＡＦpeakは、後述するステップＳ４７で使用される。ステップＳ４０では、後述するピーク越えの判断に使用されるフラグflag_peak が１に初期化される。
【０１３８】
そして、ステップＳ４１に於いて、上記ステップＳ３３と同様に、同期信号が入力されるまで待機する。更に、ステップＳ４２では、上記ステップＳ３４と同様に、最新のレンズ位置データが取得される。そして、ステップＳ４３〜Ｓ４５にて、上記ステップＳ３５〜Ｓ３７と同様に、撮像素子４５による撮像動作、該撮像素子４５からの画像データの読み出し、次回の撮像素子４５駆動時の露光量が決定される。
【０１３９】
次に、ステップＳ４６にて、上記設定エリア内の合焦評価値が演算され、その結果が現在の合焦評価値ＡＦnow とされる。そして、ステップ４７に於いて、上記ステップＳ４６で取得された最新の合焦評価値ＡＦnow と、ピークの合焦評価値ＡＦpeak（初期値はステップＳ３９、その後は後述するステップＳ４８で決定）の大小が比較される。その結果、最新の合焦評価値ＡＦnow が、まだピークの合焦評価値ＡＦpeaに達していない場合は、ステップＳ４８に移行して、最新の評価値がピークとされるべく、ＡＦpeak＝ＡＦnow と代入される。その後、ステップＳ５６へ移行する。
【０１４０】
一方、上記ステップＳ４７にて、最新の合焦評価値ＡＦnow がピークの合焦評価値ＡＦpeaに達した場合は、ステップＳ４９に移行して、ＡＦpeak−ＡＦnow が所定量に達しているか否かが判断される。ここで、所定量に達していない場合には、ピークは過ぎたがまだピークから僅かしか合焦評価値が下がっていないことになる。したがって、ステップＳ５６へ移行する。
【０１４１】
一方、上記ステップＳ４９にて、ピークから十分合焦評価値が低下したと判断された場合には、ステップＳ５０に移行して、flag_peakの論理が判断される。ここで、ライブビューモードに移行した後、最初にピークを通過してからもピントリング１８を回し続けた場合は、上記ステップＳ４０にて、同フラグが“１”となっているので、ステップＳ５４に移行する。
【０１４２】
ステップＳ５４では、上記ステップ４９にてピークから十分合焦評価値が低下したと判断された場合に、ピークの前後でレンズの回転方向は同一であるか否かが判断される。これは、上記ステップＳ４２で取得されたレンズ位置データから、ピーク前後のデータが参照されて判断される。尚、ライブビューモードに移行した後、合焦評価値が減少する方向にピントリング１８が回し続けられた場合にも、このステップが実行されることになる。
【０１４３】
ＡＦpeakは、上記ステップＳ３９で設定されたライブビューモードに移行したときの合焦評価値であるＡＦref であるが、ライブビューモードに移行した時点の合焦評価値はピークであるとはいえないので、ステップＳ５４での判断結果は“ＮＯ”となり、ステップＳ５５へ移行する。ステップＳ５５では、上記ステップＳ５４にて、ピークの前後でレンズの回転方向が同一ではないと判断されたので、flag_peak ＝０とされる。これは、図９に示される状態であるので、ピークと判断しないようにする。すなわち、flag_peak ＝０であるので、次回のステップＳ５０にてステップＳ５１に移行することでそれが達成される。
【０１４４】
一方、上記ステップＳ５０にて、flag_peak ＝０である場合は、ステップＳ５１に移行する。このステップＳ５１では、ピークに達する前にレンズを反転させた場合に、ここでレンズの回転方向が再度反転したか（すなわち、ピークに向かってレンズが移動されているか）否かが判断される。ここで、回転方向が反転するまではステップＳ５６に移行する。
【０１４５】
上記ステップＳ５２では、ピークに達する前にレンズを反転させたが、その後はステップＳ５１にて再度反転してレンズが正しいピーク位置に向かっていると判断されたので、ステップＳ５５でクリアされたflag_peak が再度“１”にセットされる。その後、ステップＳ５３にて、最新の評価値がピークとされるべく、ＡＦpeak＝ＡＦnow と代入される。
【０１４６】
ステップＳ５６に於いては、最新の評価値ＡＦnow と合焦評価値初期値ＡＦref の大小が判断される。ここで、ＡＦnow ＜ＡＦref であれば、ステップＳ５７に移行して、上記（１）式に従って粗調整用表示バー９６に表示する値ＡＦlevel としてＡＦnow ／ＡＦref が非圧縮演算される。その後、上記ステップＳ４１へ移行して次の同期信号を待つ。
【０１４７】
一方、上記ステップＳ５６にて、ＡＦnow ≧ＡＦref であれば、ステップＳ５８に移行して、上記（２）式に従って粗調整用表示バー９６に表示する値ＡＦlevel として、ＡＦnow ／ＡＦref が圧縮演算される。その後、上記ステップＳ４１へ移行して次の同期信号を待つ。
【０１４８】
また、上記ステップＳ５４に於いて、ピークの前後でレンズの回転方向は同一であると判断された場合は、ステップＳ５９に移行する。このステップＳ５９では、合焦評価値のピークを越えたと判断されているので、粗調整を終了して微調整に移行する処理がなされる。つまり、これまで使用されていた粗調整用表示バー９６が停止、若しくは非表示にされて、その隣の微調整用表示バー９７に表示が切り替えられる。ここでは、上記（３）式に従って微調整用表示バー９７に演算したＡＦlevel が表示される。その後、ステップＳ６０にて、次の同期信号を待つ。
【０１４９】
続くステップＳ６１〜Ｓ６５の処理動作は、上述したステップＳ４２〜Ｓ４６とそれぞれ同じであるので、対応するステップ番号を参照するものとしてここでは説明を省略する。
【０１５０】
ところで、カメラ本体３０に別に設けられた図示されない表示スタートスイッチが押されると（ステップＳ８１）、Ｂμｃｏｍ６０の割り込み処理により、上述したステップＳ３３に処理が移行し、再度最初からライブビュー表示が行われる。これは、ピーク越え判断後に表示が最初からやり直される場合に使用される。
【０１５１】
また、所定のフレームレートでライブビュー更新中に、図示されない第２レリーズスイッチの操作がなされると（ステップＳ７１）、Ｂμｃｏｍ６０の割り込み処理により、このシーケンスを抜けて、図５のフローチャートに於けるステップＳ２に処理が移行して、撮影動作が行われる。このとき、粗調整用表示バー９６と微調整用表示バー９７は消灯状態となる。
【０１５２】
更に、所定のフレームレートでライブビュー更新中にライブ釦７３の操作がなされると（ステップＳ７２）、Ｂμｃｏｍ６０の割り込み処理により、このシーケンスを抜けて図６のフローチャートに於けるステップＳ２１に処理が移行して、ライブビューモード終了動作が行われる。
【０１５３】
そして、カメラ本体３０に別に設けられた図示されない表示スタートスイッチが押されると（ステップＳ７３）、Ｂμｃｏｍ６０の割り込み処理により、ステップＳ７４に処理が移行して、そのとき撮影されている画像から合焦評価値が算出されてその値がＡＦref とされて設定される。そして、割り込み前のステップに移行する。新しく設定されたＡＦref がステップＳ５６で使用されるので、完全に表示が更新される。このときの表示スタートスイッチは専用にスイッチを設けてもよいし、別のスイッチと兼用してもよい。これにより、被写体を変更した場合に表示を最初から行うことができるという効果がある。
【０１５４】
このように、第２の実施形態によれば、ピークを越えるまでは粗調整用表示バー９６で表示し、ピークを越え越えたと判断された後は、粗調整用表示バー９６とは別に設けた微調整用表示バー９７で表示するようにしたので、１つの表示バーで表示した場合と比較すると、粗調整と微調整の切り替わり点で表示バーの長さが急に変化することがないので、撮影者にとって切り替わったことがわかり易く、表示の違和感がない。それによって、表示バーを見ながらＭＦでピント合わせがし易くなるという効果がある。
【０１５５】
尚、粗調整から微調整の表示に移行したとき、粗調整用表示バー９６を停止または非表示にするとしたが、伸縮動作を続けてもよい。また、微調整用表示バー９７を上記（３）式のリニアスケールで表示するようにしているが、ＡＦpeak付近のみをより拡大して表示するようなスケールにしてもよい。その場合、更にＡＦpeakの値が小さい場合は、上記（３）式のスケールを使用し、ＡＦpeakの値が所定の値以上になる場合には、より拡大して表示するようにしてもよい。
【０１５６】
例えば、上記（３）式では、微調整用表示バー９７は、合焦評価値がＡＦpeakの１／５で０、また表示ＡＦpeakの６／５で１０を指すが、下記（４）式では、合焦評価値がＡＦpeakの３／５で表示バーは０を指し、合焦評価値がＡＦpeakの１１／１０で表示バーは１０を指す。
【０１５７】
微調整用表示バー９７：  
表示値ＡＦlevel ＝２０×（ＡＦnow ／ＡＦpeak）−１２        …（４）  
上記（３）、（４）式の何れの場合も、ＡＦpeakでは微調整用表示バー９７は８を指す。
【０１５８】
（第２の実施形態）
次に、本発明の第２の実施形態について説明する。
【０１５９】
尚、以下に述べる第２の実施形態に於いては、カメラの構成及び基本的な動作については、図１乃至図１２に示される第１の実施形態のカメラの構成及び動作と同じであるので、これらの構成及び動作については、同一の部分には同一の参照番号を付して、その図示及び説明は省略するものとし、異なる動作の説明についてのみ説明する。
【０１６０】
図１３は、本発明の第２の実施形態に於けるカメラのライブビューモード時の液晶モニタ５１の様子を説明する図であり、上述した第１の実施形態の図４（ｃ）に相当する拡大モードの図である。
【０１６１】
図１３（ａ）は、粗調整時の表示を示している。第２の実施形態では、粗調整モードでは合焦メータ９５内に粗調整用表示バーを全く表示せず、該粗調整表示バーは非表示となっている。
【０１６２】
図１３（ｂ）は、微調整時の表示を示している。第２の実施形態では、微調整モードでのみ微調整用表示バー９７を表示する。したがって、図４（ｃ）のように、合焦メータ９５内に表示バーを２本設ける必要がなくなり、スペース上有利となる。
【０１６３】
また、粗調整はあくまでも目安であり、合焦させるのに重要なのは微調整であるので、粗調整時に表示を行わなくてもそれほどデメリットはなく、むしろすっきりして撮影者にわかりやすいとも言える。特に、一眼レフレックス方式のカメラでは、ファインダ中の被写体のボケ具合により、合焦の大体の度合いを知ることは容易である。
【０１６４】
第２の実施形態の動作を説明するフローチャートは、図１０乃至図１２に示される上述した第１の実施形態の動作を説明するフローチャートとほとんど同一であり、異なるのは、ステップＳ５７及びＳ５８の粗調整時の表示ステップが無くなるのみである。したがって、図１０乃至図１２のフローチャートを参照するものとして、第２の実施形態に於けるライブビューモード動作についての説明は省略する。
【０１６５】
このように、第２の実施形態によれば、上述した第１の実施形態に加えて以下のような効果がある。すなわち、
表示バーが１本でよいのでスペース上有利である。  
粗調整時には表示バーを表示しないようにしたので、１本の表示バーでも表示の切り替え点が存在しないので、撮影者にとって切り替わったことがわかり易く、表示の違和感がない。むしろシンプルですっきりしているとも言える。したがって、撮影者が表示バーを見ながらＭＦでピント合わせをし易くなる。
【０１６６】
（第３の実施形態）
次に、本発明の第３の実施形態について説明する。
【０１６７】
尚、以下に述べる第３の実施形態に於いては、カメラの構成及び基本的な動作については、図１乃至図１２に示される第１の実施形態のカメラの構成及び動作と同じであるので、これらの構成及び動作については、同一の部分には同一の参照番号を付して、その図示及び説明は省略するものとし、異なる動作の説明についてのみ説明する。
【０１６８】
第３の実施形態では、粗調整用の合焦評価値演算で使用するハイパスフィルタ（ＨＰＦ）と微調整用の合焦評価値演算で使用するＨＰＦとで、それぞれ周波数特性の異なるものを使用することを特徴とする。
【０１６９】
図１４は、本発明の第３の実施形態での粗調整用のＨＰＦ係数での特性と、微調整用のＨＰＦ係数での特性を説明する概念図である。
【０１７０】
図１４に示されるように、粗調整用のＨＰＦ（ＨＰＦ１）係数のカットオフ周波数は、微調整用のＨＰＦ（ＨＰＦ２）係数のカットオフ周波数より低くなるように設定することによって、同図に示すようになだらかな特性と急峻な特性とを作る技術は公知であり、これを本発明にも適用することによって更にＭＦし易い表示バーとなる。
【０１７１】
図１４は、あるレンズの特性例であって、粗調整用特性ｆ１は、ＨＰＦ係数（ＨＰＦ１）)のカットオフ周波数ｆc ＝１００ｋＨｚの場合の例であり、ピークの合焦点から離れたレンズ位置でも合焦評価値がある程度高くなっているのでなだらかな特性となる。一方、微調整用特性ｆ２は、ＨＰＦ係数（ＨＰＦ）のカットオフ周波数ｆc ＝７００ｋＨｚの場合の例であり、ピークの合焦点から離れたレンズ位置ではかなり低い合焦評価値となり、且つ、その位置での安定性も悪いがピーク近傍では急峻な特性となる。つまり、粗調整用特性ｆ１はまさに粗調整向きであり、逆に、微調整用特性ｆ２はまさに微調整向きである。
【０１７２】
また、カットオフ周波数をいくつに設定すればいいかの判断は、レンズ情報によって行われる。ここでのレンズ情報は、１つには焦点距離情報であり、Ｂμｃｏｍ６０は通信コネクタ２０を介してＬμｃｏｍ１５から現在の撮影レンズ１１の現在の焦点距離情報を取得する。Ｂμｃｏｍ６０は、取得した各焦点距離に於けるカットオフ周波数の設定値を、予めそのプログラムに設定してあるアルゴリズム、若しくはテーブル参照する等により求める。
【０１７３】
あるいは、より正確な第２の方法として、各レンズ鏡筒１０毎にそのレンズのカットオフ周波数をいくらにすればよいかの情報、若しくはハイパスフィルタ係数の情報を、予めＬμｃｏｍ１５が保持しており、レンズ鏡筒１０を装着した場合に上記レンズ通信を介してＬμｃｏｍ１５から送信されるようにすることもできる。
【０１７４】
交換レンズ式カメラの場合には、新旧さまざまなレンズが装着されるので、各レンズが自身の特性を保持することで特殊な特性を持つレンズでも適切な合焦表示を提供することができる。その場合には、必要に応じて、Ｂμｃｏｍ６０からの要求に応じて、Ｌμｃｏｍ１５が必要なＨＰＦに関する上記情報を送信するのみである。
【０１７５】
図１５は、第３の実施形態の設定エリアについての合焦評価値演算のサブルーチンであり、図１０乃至図１２のフローチャートに於けるステップＳ４６及びＳ６５の動作を詳細に説明するためのフローチャートである。
【０１７６】
本サブルーチンに入ると、先ずステップＳ９１及びＳ９２にて、すでに図１４で説明した方法により、レンズより焦点距離情報が取得され、それに基づいて設定されるＨＰＦ係数が求められるか、レンズから送信されるＨＰＦ係数情報により設定されるＨＰＦ係数が求められる。粗調整用ＨＰＦ係数をＨＰＦ１、微調整用ＨＰＦ係数をＨＰＦ２とする。これらのＨＰＦ係数は、画像処理コントローラ５０にて演算される。
【０１７７】
次に、ステップＳ９３では、図１０フローチャートのステップＳ３６で読み出された撮像データの中から、合焦メータ９５内の撮像データに対して、ステップＳ９２で設定されたＨＰＦ１とＨＰＦ２のそれぞれの係数でハイパスフィルタ処理が行われる。
【０１７８】
ステップＳ９４では、上記ステップＳ９３のハイパスフィルタ処理で抽出された高周波成分のデータに基づいて、公知の演算方法で合焦評価値が求められる。ここでは、ＨＰＦ１係数が使用されて求められた合焦評価値と、ＨＰＦ２係数が使用されて求められた合焦評価値の２つが求められる。
【０１７９】
そして、ステップＳ９５に於いて、現在は粗調整モードか微調整モードかが判断される。ここで、粗調整モードである場合はステップＳ９６に移行し、微調整モードである場合はステップＳ９７に移行する。
【０１８０】
ステップＳ９６では、粗調整モードであるので、ＨＰＦ１係数が使用されて演算された合焦評価値が、粗調整用表示バー９６での表示用に選択される一方、ステップＳ９７では、微調整モードであるので、ＨＰＦ２係数が使用されて演算された合焦評価値が、微調整用表示バー９７での表示用に選択される。
【０１８１】
その後、ステップＳ９８にて、粗調整モードでは上記（１）及び（２）式、微調整モードでは上記（３）式に従って、表示用のＡＦlevel が演算される。
【０１８２】
ここで、微調整モード時にＡＦlevel を演算するときの注意点について説明する。
【０１８３】
図１４に示されるように、ＨＰＦ係数によって同じレンズ位置でも合焦評価値の絶対値が異なるので、ピーク時の合焦評価値も粗調整モードではＡＦpeakHPF1、微調整モードではＡＦpeakHPF2と異なる。したがって、粗調整モードから微調整モードに切り替わった際に、ピークはＡＦpeakHPF2へと変更になるので、上記（３）式でＡＦpeak＝ＡＦpeakHPF2と代入することが必要である。ステップＳ９４で粗調整モードでも微調整モード時の合焦評価値も求めているのはそのためである。
【０１８４】
以上、本発明の第３の実施形態について説明した。本第３の実施形態では、上述した第１及び第２の実施形態に加えて、以下のような効果がある。すなわち、
粗調整用のＨＰＦ係数と微調整用のＨＰＦ係数を別々にし、微微調整用の係数で演算した合焦評価値の方が急峻な特性を示すようにしたので、粗調整でピークを求め易くなると共に、粗調整で求めたピーク近傍を微調整しやすくなり、その結果、撮影者がＭＦで合焦させ易くなる。
【０１８５】
レンズ毎に適切なＨＰＦ係数設定できるようにしたので、どのようなレンズでも容易にＭＦで合焦させ易くなる。
【０１８６】
（変形例）
次に、上述した第１乃至第３の全実施形態に共通の変形例について説明する。
【０１８７】
図１６は、本発明の第１乃至第３の実施形態の変形例に於ける表示例を説明する図である。この図１６は、図７（ｂ）及び（ｃ）の表示に対応しているが、目盛等の変形例の説明に無関係な箇所は一部省略している。
【０１８８】
図１６（ａ）は粗調整モード時、（ｂ）は微調整モード時の例である。
【０１８９】
この変形例の特徴は、ピークホールド表示９８を設けていることである。現在までの評価値ピークの位置を明示するために、ピークホールド表示９８を、粗調整用表示バー９６と微調整用表示バー９７と同時に表示している。すなわち、レンズ位置がＬ1 〜ピークのＬ5 の位置まで同じ方向に移動する場合には、現在の位置がピークなのでその位置が表示され、Ｌ5 の位置を過ぎるとＡＦpeakが最大値となるのでＡＦpeakの位置が表示されている。
【０１９０】
このピークホールド表示９８によって、撮影者は合焦評価値の最大がわかるので、最もピントが良いレンズ位置を知ることができる。
【０１９１】
尚、図１６に於いては、ピークホールド表示９８を三角マークとこれらを結ぶ線で表したが、ピークホールドが認識できるものであればこれに限られるものではなく、例えば、線のみでもよい。
【０１９２】
また、図１６（ｂ）では、ピークホールド表示９８は図１６（ａ）と同様であるが、Ｌ5 の位置でピークに再度一致して合焦が得られたことを更にはっきりと明示するために、微調整用表示バー９７の表示形態を変更させると、更に合焦位置が撮影者に判りやすくなる。同図に於いては、微調整用表示バー９７の色を変更させることによってそれを達成している。例えば、微調整用表示バー９７がそれまで黒色で表示していたが、合焦点に一致するとそれ以外の色に変更されるようにする（尚、図１６（ｂ）に於いては、変更された色を斜線で表している）。
【０１９３】
合焦点に一致したことを撮影者に報知するには、さまざまな変形例が考えられる。ここでは、微調整用表示バー９７の表示色を変更した例について述べたが、そのバーの形状を変化させたり、別途設けた合焦表示を点灯させたりしてもよく、更には視覚的表現以外のもの、例えば、音声で報知する等の方法も考えられる。
【０１９４】
ピークホールド表示９８のみでも一定の効果があるが、こうした合焦点の報知によって、撮影者は更にはっきりと合焦点を意識することができ、ＭＦでのピント合わせが更に容易になる。
【０１９５】
撮影者が、更にレンズをＬ1 の位置まで移動させると（移動ｍ３）、ピークホールド表示９８はＡＦpeakの位置を示しているが、微調整用表示バー９７の表示は通常と同じ形態となる。すでに合焦点にないために、ここでは、表示色が元の黒色に戻って表示されている。
【０１９６】
以上、本発明の実施形態について説明したが、本発明は上述した実施形態に限定されるものではなく、本発明の要旨を逸脱しない範囲で種々の変形実施が可能であるのは勿論である。
【０１９７】
例えば、レンズ交換可能な一眼レフレックスカメラの例で示したが、山登りＡＦ機能とＭＦ機能を有するそれ以外のスチルカメラやビデオカメラにも適用が可能である。更には、レンズ交換式のカメラでなくても適用が可能である。
【０１９８】
また、上上述した実施形態の説明では、合焦メータ９５は、粗調用表示バー９６及び微調用表示バー９７の長さで合焦度合いを表すように構成されていたが、撮影者が一目見て判断できるものであれば、他の図形の形状により合焦の度合いを表すようにしてもよい。例えば、表示バー９６の代わりに円形のインジケータとして、その半径が合焦の度合いを表すようにしてもよい。また、固定したサイズの三角形のインジケータが、画面中の所定の範囲を左右に動くことにより合焦の度合いを表すようにしてもよい。
【０１９９】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０２００】
【図１】本発明の第１の実施形態を示すもので、本発明のカメラの焦点状態表示装置の主要な構成を示すブロック図である。
【図２】本発明の第１の実施形態に係るカメラ焦点状態表示装置が適用されたカメラのシステム構成を示すブロック図である。
【図３】本発明の第１の実施形態に於けるカメラの外観を示した背面図である。
【図４】ライブビューモード時の液晶モニタ５１の様子を説明するための図である。
【図５】本発明の一実施形態に於けるカメラのライブビューモードで撮影動作まで行う場合の処理の流れを説明するためのフローチャートである。
【図６】ライブビューモードが終了する場合の処理の流れを説明するためのフローチャートである。
【図７】本発明の第１の実施形態の表示例を説明する図である。
【図８】ピーク越え判断のアルゴリズムを説明するもので、正しく判断できる場合を示した図である。
【図９】ピーク越え判断のアルゴリズムを説明するもので、レンズをピークまで移動せずに判断する場合を示した図である。
【図１０】本発明の第１の実施形態の表示例の動作であって、図５のフローチャートに於けるステップＳ１のサブルーチン「ライブビューモード動作」の処理について説明するためのフローチャートである。
【図１１】本発明の第１の実施形態の表示例の動作であって、図５のフローチャートに於けるステップＳ１のサブルーチン「ライブビューモード動作」の処理について説明するためのフローチャートである。
【図１２】本発明の第１の実施形態の表示例の動作であって、図５のフローチャートに於けるステップＳ１のサブルーチン「ライブビューモード動作」の処理について説明するためのフローチャートである。
【図１３】本発明の第２の実施形態に於けるカメラのライブビューモード時の液晶モニタ５１の様子を説明する図であり、図４（ｃ）に相当する拡大モードの図である。
【図１４】本発明の第３の実施形態での粗調整用のＨＰＦ係数での特性と、微調整用のＨＰＦ係数での特性を説明する概念図である。
【図１５】本発明の第３の実施形態の設定エリアについての合焦評価値演算のサブルーチンであり、図１０乃至図１２のフローチャートに於けるステップＳ４６及びＳ６５の動作を詳細に説明するためのフローチャートである。
【図１６】本発明の第１乃至第３の実施形態の変形例に於ける表示例を説明する図である。
【符号の説明】
【０２０１】
１…撮像部、２…合焦評価値演算部、３…ピーク検出部、４…表示バー作成部、５…選択部、６…合焦メータ作成部、７…合成部、８…モニタ、１０…レンズ鏡筒、１１…撮影レンズ、１２…絞り、１３…レンズ駆動機構、１４…絞り駆動機構、１５…レンズ制御用マイクロコンピュータ（Ｌμｃｏｍ）、１６…メモリ、１８…ピントリング、２０…通信コネクタ、３０…カメラ本体、３１…クイックリターンミラー（メインミラー）、３２…ペンタプリズム、３３…接眼レンズ、３４…測光回路、３７…サブミラー、３８…ＡＦセンサユニット、４３…シャッタ、４５…撮像素子、４８…インターフェイス回路、５０…画像処理コントローラ、５１…液晶モニタ、５２…バッファメモリ（ＳＤＲＡＭ）、５３…ＦｌａｓｈＲＯＭ、５４…記録メディア、５６…不揮発性メモリ（ＥＥＰＲＯＭ）、６０…ボディ制御用マイクロコンピュータ（Ｂμｃｏｍ）、６１…電源回路、６３…動作表示用ＬＣＤ、６５…カメラ操作スイッチ（ＳＷ）、７１…メインダイヤル、７２…モードダイヤル、７３…ライブ釦、９５…合焦メータ、９６…粗調整用表示バー、９７…微調整用表示バー。
【図１】
2007248615.tif 000003
【図２】
2007248615.tif 000004
【図３】
2007248615.tif 000005
【図４】
2007248615.tif 000006
【図５】
2007248615.tif 000007
【図６】
2007248615.tif 000008
【図７】
2007248615.tif 000009
【図８】
2007248615.tif 000010
【図９】
2007248615.tif 000011
【図１０】
2007248615.tif 000012
【図１１】
2007248615.tif 000013
【図１２】
2007248615.tif 000014
【図１３】
2007248615.tif 000015
【図１４】
2007248615.tif 000016
【図１５】
2007248615.tif 000017
【図１６】
2007248615.tif 000018